(57)【要約】【課題】録画再生装置においてタイトルリストを表示（再生）する際に、直前に再生が中止された部分をサーチして、その中止された部分の直前のデータから優先的に再生することで、ユーザの操作性および利便性を向上可能な録画再生装置を提供する。【解決手段】この発明によれば、録画再生装置１においてタイトルリストを表示装置２１に表示（再生）する際に、直前に再生が中止された部分をサーチし、その中止された部分の直前のデータから優先的に再生することで、ユーザの操作性および利便性を向上させることができる。【選択図】  図１
2007043239.tif 000002
【特許請求の範囲】
【請求項１】
画像情報を保持する記録装置と、
この記録装置に、画像情報の前回までの再生の履歴を記録する記録コントローラと、
有し、
前記記録装置に蓄積したタイトルの一覧をサムネイル画像として表示する場合に、そのタイトルが選ばれた時に前回再生が途中で止められた時点を基にして、ユーザに表示する録画再生装置。
【請求項２】
画像情報を保持する記録装置と、
この記録装置に、画像情報の前回までの再生の履歴を記録する記録コントローラと、
を有し、
前回再生を停止した時間までのタイトルをいくつかのパートに切った単位の先頭の数秒を順に再生してから前回再生を停止した時間からの再生を開始することを特徴とする録画再生装置。
【請求項３】
画像情報を保持する記録装置と、
この記録装置に、画像情報の前回までの再生の履歴を記録する記録コントローラと、
を有し、
早送りの速度を調節することで、前回再生を停止した時間付近では倍率の低い再生速度に切り替えて、前回までの内容を表示することを特徴とする録画再生装置。
【請求項４】
画像情報を保持する記録装置と、
この記録装置に、画像情報の前回までの再生の履歴を記録する記録コントローラと、
を有し、
前記記録コントローラに保持されている履歴に基づいて、タイトルを一覧表示した際に各タイトルのサムネイルにタイムバーをつけて再生位置を表示可能な出力を、出力できることを特徴とする録画再生装置。
【請求項５】
画像情報を保持する記録装置と、
この記録装置に、画像情報の前回までの再生の履歴を記録する記録コントローラと、
を有し、
前記記録コントローラに保持されている履歴に基づいて、そのタイトルが既に最後まで視聴済みの場合には前回再生が途中で止められた点を無視してタイトル中の切られているパートの先頭の数秒を繰り返し再生することを特徴とする録画再生装置。
【請求項６】
画像情報を保持する記録装置と、
この記録装置に、画像情報の前回までの再生の履歴を記録する記録コントローラと、
を有し、
タイトルがいくつかのパートで区切られていない場合は、一定間隔おきに、数秒間ずつタイトルを再生し、最後まで再生が終わったら先頭に戻って再生を繰り返すことを特徴とする録画再生装置。
【請求項７】
前記録画再生装置は、前記サムネイルで表示する場合に、（外部に接続される、もしくは内蔵した）表示装置への表示画像に、小窓を区画してタイトルを繰り返し再生することを特徴とする請求項１ないし６のいずれかに記載の録画再生装置。
【発明の詳細な説明】
【技術分野】
【０００１】
この発明は、撮像された動画を再生する際に、直前の再生時に停止された画像と関連のある画像を表示して、操作性を向上させることを可能とした録画再生装置に関する。
【背景技術】
【０００２】
例えば、テレビ放送や衛星放送等に代表される公衆向け放送や、ビデオソフト等に代表される画像情報すなわち動画を録画可能な装置として、テープ状媒体を用いるビデオ装置やＤＶＤディスクもしくはハードディスク装置等を媒体とする録画装置が、既に広く普及している。
【０００３】
録画された画像情報すなわち動画は、ユーザによる再生指示により、ビデオ信号を表示可能なモニタ装置や一般的なテレビ受像機等に、ユーザの好みの時間に、随時、再生可能である。
【０００４】
例えば、特許文献１には、デジタル記録再生装置において、サムネイル表示の際には、タイトルファイル情報に基づいて記録されているタイトルの一覧表が作成され、表示されるものが記載されている。
【０００５】
なお、文献１に記載の記録再生装置は、ユーザによって選択されたタイトルに対応するタイトルファイル情報が検索され、検索されたタイトルファイル情報に基づいてデジタルデータが早送り再生され、ユーザによってタイトルの選択が変更され、またはタイトルが決定されれば、デジタルデータの早送り再生を中止することが記載されている。
【特許文献１】特開２００１−１５７１４７号公報
【発明の開示】
【発明が解決しようとする課題】
【０００６】
しかしながら、特許文献１に記載された記録再生装置では、タイトルが選択されると、デジタルデータが早送り再生されるが、連続ドラマのようにタイトルが表示するまで時間がかかるものの場合、そのタイトルが何であるかを識別するのが困難である。
【０００７】
また、同文献の装置においては、選択されたタイトルの画像（デジタルデータ）が最後まで早送り再生される。しかしながら、例えばユーザが過去に途中まで視聴（再生）した画像ファイルにおいては、既に視聴（再生）した部分より先のデータも再生してしまい、その後のストーリーを視聴するためには、不都合である場合が少なくない。
【０００８】
また、同文献の装置においては、タイトルの早送り再生がスタートするのみで、実際の再生時間がどのくらいであるかを表示することは考慮されていない。
【０００９】
本発明の目的は、録画再生装置においてタイトルリストを表示（再生）する際に、直前に再生が中止された部分をサーチして、その中止された部分の直前のデータから優先的に再生することで、ユーザの操作性および利便性を向上可能な録画再生装置を提供することである。
【課題を解決するための手段】
【００１０】
この発明は、上記問題点に基づきなされたもので、画像情報を保持する記録装置と、この記録装置に、画像情報の前回までの再生の履歴を記録する記録コントローラと、有し、前記記録装置に蓄積したタイトルの一覧をサムネイル画像として表示する場合に、そのタイトルが選ばれた時に前回再生が途中で止められた時点を基にして、ユーザに表示する録画再生装置、を提供するものである。
【発明の効果】
【００１１】
本発明によれば、映像（画像）情報を録画し、再生する装置において、タイトルリストを表示する際に、フォーカスの当たっているタイトルについては、前回再生を停止した時間に基づいてタイトル中のパートと前回再生を停止した時間の直前のデータを再生し、リスト中の小窓に表示することで、ユーザが今まで見たタイトルのストーリーを容易に思い出すことができる。また、タイトルにフォーカスが当てられた場合に、タイムバーやパート情報を表示することで、このタイトルを視聴し終わるのにどれくらい時間がかかるのかを知ることができる。
【００１２】
また、本発明では、タイトルの中で分割されたパートを数秒表示してすぐに次のパートを表示するので、全体の映像を早送りする場合に比べてタイトルの進行が速く、そのタイトルが何であるか識別しやすい。
【００１３】
さらに、本発明では、もし、ユーザがそのタイトルの全部を視聴していない場合には、前回再生を停止した時間が属するパートの先頭部分と前回再生を停止した時間の直前までを表示するので、視聴（再生）前のストーリーが不本意に再生されることが防止できる。
【発明を実施するための最良の形態】
【００１４】
以下、図面を参照して、この発明の実施の形態について詳細に説明する。
【００１５】
図１は、録画再生装置の要素を概略的に示すブロック図である。
【００１６】
図に示す録画再生装置１は、受信した放送波のデータをＨＤＤ（ハードディスク装置）１０５またはＤＶＤディスク１０６に格納する機能を持つ。
【００１７】
手順は、次のようになる。まず、テレビジョン放送の信号電波は、アンテナ２２により受信され、チューナー１０７によってユーザが指定した１つのチャンネルのデータを映像信号と音声信号からなる信号に復調される。
【００１８】
映像信号と音声信号は、Ａ／Ｄコンバータ１０８によって、デジタル信号に変換されたあと、ビデオエンコーダ１１２とオーディオエンコーダ１１０によって圧縮される。
【００１９】
圧縮されたデジタル音声信号と映像信号は、マルチプレクサ１１１により多重化され、例えばＭＰＥＧのシステムストリームに変換される。
【００２０】
変換されたＭＰＥＧのシステムストリームは、バッファメモリ１０３（または１１７）に書き込まれ、ＨＤＤコントローラ１０４（またはＤＶＤコントローラ１１８）を介してＨＤＤ１０５の図示しないハードディスク（あるいはＤＶＤディスク１０６）に書き込まれる。
【００２１】
ＨＤＤ１０５は、タイトルの生データを保存する領域の他に、タイトルに関する情報を保存する領域を持つ。タイトル中には、タイトルをいくつか区切ったパートが存在する。パートは、録画中に手動で設定されるか、（録画対象である）映像情報に基づいて自動で設定されるかのいずれかである。なお、パートは、例えば映画や連続ドラマ等である動画（コンテンツ）に含まれるコマーシャルや予告画像等のさまざまな情報の先頭位置、あるいは時間情報に基づいて任意のタイミングで区切られる。
【００２２】
パートが手動で設定される場合、パートが設定されるタイミングをリモコン受信部１０１で受け取り、ユーザＩ／Ｆ１１９を経由してパート分割モジュール１０２で情報を生成してＨＤＤコントローラ１０４（またはＤＶＤコントローラ１１８）を利用して、ＨＤＤ（もしくはＤＶＤディスク）に書き込まれる。
【００２３】
パートが自動で設定される場合、オーディオエンコーダ１１０およびビデオエンコーダ１１２からの音声情報や映像情報から、自動パート生成モジュール１０９によってパートが設定され、手動で設定した場合と同様にパート分割モジュールからＨＤＤまたはＤＶＤに、情報が書き込まれる。
【００２４】
この時に書き込まれる情報の形式を、図２に示す。
【００２５】
例えば、各タイトルは、タイトル情報３１と、そのタイトルが最後まで視聴されたかを示す情報３２と、タイトルが前回再生を停止された時間３３と、パートに関する情報３４と、そのパートが示す再生時間に関する情報３５を、少なくとも含む。
【００２６】
録画されているタイトルを再生するには、リモコン受信部１０１により、ユーザからの指示を受け取り、ユーザＩ／Ｆ１１９へ読み出したいタイトルを選択する。
【００２７】
ユーザＩ／Ｆ１１９は、ＨＤＤコントローラ１０４またはＤＶＤコントローラ１１８にタイトルまたはパートの読み出し指示を出す。
【００２８】
読み出すタイトルまたはパートは、バッファメモリ１０３もしくは１１７を経由して、マルチプレクサ／デマルチプレクサ１１１に転送され、デマルチプレクス（すなわち多重信号が分離）される。デマルチプレクス（分離）された映像信号および音声信号は、それぞれビデオデコーダ１１３、オーディオデコーダ１１６に送られ、デコードされる。
【００２９】
デコードされた映像信号および音声信号は、Ｄ／Ａコンバータ１１５によりアナログのテレビジョン信号に変換され、グラフィックコントローラ１１４を介して、外部のテレビジョンモニタ２１に、再生（表示）される。
【００３０】
ユーザから、図示しないリモコン（リモートコントローラ）の「再生可能データリスト表示ボタン」により、データリストの表示が指示されると、ＧＵＩ表示モジュール１２０を利用してテレビジョンモニタ２１に、（図３のＳｔａｔｅ  １により後述するが）再生可能なデータリストのＧＵＩが表示される。
【００３１】
ユーザが前回、タイトルリストを表示していた場合には、（図１１に示す画面表示例において）、まず、フォーカスが当たっていない（それまでに選択されていない、すなわちカーソルが移動されていない）タイトル「４４」のタイトル情報３１を取得し、情報表示スペース「４６（図１１参照）」に、情報を表示する。また、タイトル「４４」の開始から数秒後までのデータをキャプチャし、（図３のＳｔａｔｅ  ２１により後述する）その画像を、モニタ装置２１の表示画面の小窓４５に、順に表示する。
【００３２】
次に、フォーカスの当たっているタイトル４３のタイトル情報３１、最後まで視聴されたかを示す情報３２、前回再生を止めた時間３３、各パートの情報３４、各パートの時間情報３５をＨＤＤ１０５より取得し、ユーザＩ／Ｆ１１９を介して、ＧＵＩ表示モジュール１２０にデータを送る（図３のＳｔａｔｅ３１）。
【００３３】
次に、取得した「前回再生を停止した時間とタイトル情報」と、「チャプター情報」を利用して、（図１１に表示例を示す）タイムバーに、「４７」で示されるように表示する（図３のＳｔａｔｅ  ４１）。
【００３４】
タイトル中に１つ以上のパートが存在し、かつ、タイトルが最後まで視聴されていない場合には、まず、各パートの時間情報３５から再生を停止した時間が属するパート番号を求める（図５のＳｔａｔｅ  ５１）。
【００３５】
続いて、パート１から前回再生を停止した時間が属するパート番号までのパートの最初の数秒間のデータを再生し、小窓「４１」に「サムネイル画像」として表示する（図７のＳｔａｔｅ  ６１）。
【００３６】
前回再生を停止した時間の属するパートまでデータを再生し終わり、なおかつ前回再生を停止した時間がパートの先頭から数秒以内に無い場合は、前回再生を停止した時間の数秒前のデータをパートの先頭を表示する（図７のＳｔａｔｅ７１）。
【００３７】
その後、再生するパートのインデックス値を“１”（Ｎ＝１）に戻して（図７のＳｔａｔｅ  ８１）、同様のデータの再生を繰り返す。
【００３８】
ユーザがフォーカスを移動した場合には、移動する前のタイトルの開始数秒後のデータをキャプチャし、小窓４１に表示する。その後、移動した先のタイトルの前回再生を停止した時間情報３２と前回再生を停止した時間のパート番号の情報を再取得する（図３のＳｔａｔｅ３１）。
【００３９】
タイトルの再生を選択した場合は、その選択されたタイトルを、前回再生を停止した時間から再生する（図６のＳｔａｔｅ  ５６）。
【００４０】
ユーザが、タイトルリストの表示の終了を指示した場合には、タイトルリストの表示を終了する（図６のＳｔａｔｅ６６）。
【００４１】
一方、タイトル中に１つ以上のパートが存在し、かつタイトルが既に最後まで視聴（再生）されている場合には、パート１から最後のパート番号までのパートの最初の数秒間のデータを再生し、小窓４１の中に表示する（図８のＳｔａｔｅ６２）。
【００４２】
最後のパートまでデータを再生し終わった場合は、再生するパートのインデックス値を１（Ｎ＝１）に戻して（図８のＳｔａｔｅ  ７２）、同様のデータの再生を繰り返す。
【００４３】
タイトル中に１つのパートしか存在せず、かつタイトルが最後まで視聴（再生）されていない場合には、最初から一定時間経過したデータを数秒間再生し、小窓４１に表示する（図９のＳｔａｔｅ  ６３）。
【００４４】
経過した時間が前回再生を停止した時間の直前の区切りに達した場合、前回再生を停止した時間が直前の区切りの数秒以内に存在しない場合には、前回再生を停止した時間の数秒前のデータを再生し、小窓４１の中に表示する（図９のＳｔａｔｅ  ７３）。
【００４５】
その後、再生する時間を“０”に戻して（図９のＳｔａｔｅ  ８３）、同様のデータの再生を繰り返す。
【００４６】
タイトル中に１つのパートしか存在せず、既にタイトルが最後まで視聴されている場合には、最初から一定時間経過したデータを数秒間再生し、小窓「４１」に表示する（図１０のＳｔａｔｅ  ６４）。
【００４７】
経過した時間が最後まで達した場合、再生する時間を“０”に戻して（図１０のＳｔａｔｅ  ７４）、同様のデータの再生を繰り返す。
【００４８】
なお、前回、パートリストを表示していた場合は、図１２に示すように、フォーカスの当たっていないパート「５４」の情報を取得し、表示欄「５５」に表示する（開始数秒後のデータをキャプチャし、小窓「５３」に表示する（図４のＳｔａｔｅ  ２５）。
【００４９】
フォーカスの当たっているパート「５２」を含むタイトルの情報３１と、パートの情報３４と、時間情報３５、をＨＤＤ１０５より取得し（図４のＳｔａｔｅ  ３５）、パートがタイムバーのどのあたりに存在するか示すために、タイムバー（図１２）にフォーカスの当たっているパートの位置「５６」を表示する（図４のＳｔａｔｅ  ４５）。
【００５０】
その後、パートの先頭の数秒間を再生し、小窓「５１」に表示する（図４のＳｔａｔｅ５５）。再生が終了したら同様の再生処理を繰り返す。
【００５１】
なお、フォーカスが移動された場合には、（図４のＳｔａｔｅ  ２５に戻って、）移動元のパートの開始数秒後のデータをキャプチャし、小窓に表示し、フォーカスの移動先のパートの時間情報とタイトル情報を取得する。
【００５２】
一方、パートの再生が選択された場合には、パートの先頭から再生を行う（図４のＳｔａｔｅ  ６５）。
【００５３】
また、ユーザがパートリストの表示の終了を指示した場合には、パートリストの表示を終了する（図４のＳｔａｔｅ  ７５）。
【００５４】
以上説明したように、この発明によれば、今まで見た部分のパートと、前回再生を停止した時間の直前までのデータを、表示画面に、タイトルリストとともに表示される小窓で視聴できる。これにより、ユーザが今まで見た部分を思い出した後に、タイトルの続きを視聴することができる。
【００５５】
また、本発明では、タイトルの中で分割されたパートを数秒表示してすぐに次のパートを表示するので、全体の映像を早送りする場合に比べてタイトルの進行が速く、そのタイトルが何であるか識別しやすい。
【００５６】
さらに、本発明では、もし、ユーザがそのタイトルの全部を視聴していない場合には、前回再生を停止した時間が属するパートの先頭部分と前回再生を停止した時間の直前までを表示するので、視聴（再生）前のストーリーが不本意に再生されることが防止できる。
【００５７】
またさらに、本発明では、タイトルを選択すると同時にタイムバーが表示されるので、そのタイトルを見終わるにはあと、どのくらい時間がかかるか知ることができる。
【００５８】
なお、この発明は、上述した実施の形態に限定されるものではなく、その実施の段階ではその要旨を逸脱しない範囲で種々な変形もしくは変更が可能である。また、個々の実施の形態は、可能な限り適宜組み合わせて実施されてもよく、その場合、組み合わせによる効果が得られる。例えば、連続ドラマを再生しようとしていて、かつそのタイトルを一度も見ていない（視聴していない）場合に、前回のタイトルから小窓に動画を表示する録画再生装置、が提供される。
【図面の簡単な説明】
【００５９】
【図１】本発明が適用可能な録画再生装置の一例を示す概略ブロック図。
【図２】録画再生装置のＨＤＤに保存される録画したタイトル・前回再生を停止した時間・パートに関する情報のデータの構成の一例を示す概略図。
【図３】本発明の録画再生装置の実施形態のフローチャート。
【図４】図３に示したフローに引き続くフローであって、「タイトル中にあるパートのリストを表示する場合」の実施形態のフローチャート。
【図５】図３に示したフローに引き続くフローであって、「タイトル中に複数のパートが存在する場合」の実施形態のフローチャート。
【図６】図５に示したフローに引き続くフローであって、「フォーカス中の（フォーカスが当たっている）タイトルが引き続き再生される場合」の実施形態のフローチャート。
【図７】図６に示したフローに引き続くフローであって、「フォーカス中の（フォーカスが当たっている）タイトルが、それまでの再生において停止（前回再生が停止）されたパートの境界のデータの再生方法を説明するフローチャート。
【図８】図３に示したフローに引き続くフローであって、「タイトル中に複数のパートが存在し、タイトルが既に最後まで再生されている場合のデータの再生方法を説明するフローチャート。
【図９】図３に示したフローに引き続くフローであって、「タイトル中に存在するパートが１つである場合において、タイトルの再生が途中で停止されている場合のデータの再生方法を説明するフローチャート。
【図１０】図３に示したフローに引き続くフローであって、「タイトル中に存在するパートが１つである場合において、タイトルが既に最後まで再生されている場合のデータの再生方法を説明するフローチャート。
【図１１】録画したタイトルの情報を表示するＧＵＩ画面の表示例の一例を示す概略図。
【図１２】録画した１つのタイトル中のパート情報を表示するＧＵＩ画面の表示例の一例を示す概略図。
【符号の説明】
【００６０】
１…録画再生装置、１０１…リモコン操作の信号を受け取る装置、１０２…録画したタイトルのパートに関する情報を生成するモジュール、１０３…ＭＰＥＧシステムストリームを磁気記録装置に書き出し、磁気記録装置から読み出したデータをマルチプレクサ／デマルチプレクサに転送する為に一時的に貯えるメモリ、１０４…録画したタイトル、パート、前回再生を停止した時間に関する情報を磁気記録装置に書き込みまたは読み出しする装置、１０５…録画したタイトル、パート、前回再生を停止した時間に関する情報を格納する磁気記録装置、１０６…録画したタイトル、パート、前回再生を停止した時間に関する情報を格納する光ディスク記録装置、１０７…テレビジョン放送電波を映像信号と音声信号に復調する装置、１０８…映像信号と音声信号をディジタルに変換する装置、１０９…映像情報、音声情報から自動的にパートに区切る時間を決定するモジュール、１１０…音声信号を圧縮する装置、１１１…圧縮された映像信号や音声信号を多重化／分離するモジュール、１１２…映像信号を圧縮する装置、１１３…映像信号を復号する装置、１１４映像信号、音声信号をテレビジョンモニタ２１に出力する装置…、１１５…映像信号、音声信号をアナログ化する装置、１１６…音声信号を復号する装置、１１７…ＭＰＥＧシステムストリームを光ディスク記録装置に書き出し、光ディスク記録装置から読み出したデータをマルチプレクサ／デマルチプレクサに転送する為に一時的に貯えるメモリ、１１８…録画したタイトルを光ディスク記録装置に書き込みまたは読み出しする装置、１１９…リモコンからの操作指示をタイトルのパートに関する情報を生成するモジュールに送信し、タイトル・パート・前回再生を停止した時間に関する情報を１０４、１１８に転送するモジュール、１２０…テレビジョンモニタにタイトルリストまたはパートリストを表示するモジュール、２１…テレビジョンモニタ、２２…アンテナ、３１…録画したタイトルのタイトル名や再生時間の情報、３２…録画したタイトルが最後まで視聴されたかを示す情報、３３…録画したタイトルの前回再生を停止した時間を示す情報、３４…タイトルの区切り（パート）に対して付けられた名前の情報、３５…パートの再生時間の情報、４…録画したタイトルの一覧を表示するＧＵＩ、４１…フォーカスの当たっているタイトルの再生画像を表示する小窓、４２…フォーカスの当たっているタイトルの情報を表示する領域、４３…フォーカスの当たっているタイトル、４４…フォーカスの当たっていないタイトル、４５…フォーカスの当たっていないタイトルのキャプチャした画像を表示する小窓、４６…フォーカスの当たっていないタイトルの情報を表示する領域、４７…再生時間とパートの境界位置を示すグラフ（タイムバー）、４８…録画したタイトルが再生する場合にタイムバーのどの時点から再生されるかを示すアイコン、５…録画した１つのタイトルのパートの一覧を示すＧＵＩ、５１…フォーカスの当たっているパートの再生画像を表示する小窓、５２…フォーカスの当たっているパート、５３…フォーカスの当たっていないパートのキャプチャした画像を表示する小窓、５４…フォーカスの当たっていないパート、５５…フォーカスの当たっていないパートの情報を表示する領域、５６…録画したタイトルが再生する場合にタイムバーのどの時点から再生されるかを示すアイコン。
【図１】
2007043239.tif 000003
【図２】
2007043239.tif 000004
【図３】
2007043239.tif 000005
【図４】
2007043239.tif 000006
【図５】
2007043239.tif 000007
【図６】
2007043239.tif 000008
【図７】
2007043239.tif 000009
【図８】
2007043239.tif 000010
【図９】
2007043239.tif 000011
【図１０】
2007043239.tif 000012
【図１１】
2007043239.tif 000013
【図１２】
2007043239.tif 000014